(57)【要約】【課題】収納スペースの容量を容易に増減できる可動収納システムとその使用方法を提供する。【解決手段】互いに平行かつ鉛直に延びる一対の第１壁面５を有する居室３と、第１壁面５が延びる水平方向に平行に並べて２つ設けられた一対の箱型収納ユニット７と、を備える。一対の箱型収納ユニット７のそれぞれは、居室３の床から天井までの高さを有し一方の第１壁面５から他方の第１壁面５まで延びており、物を収納可能な収納棚１５と、箱型収納ユニット７を人が通り抜け可能な通路用開口９と、居室３を仕切った状態で第１壁面５に沿って一対の箱型収納ユニット７を移動可能に案内する案内装置と、を有する。【選択図】図６
2020110722.tif 000002
【特許請求の範囲】
【請求項１】
互いに平行かつ鉛直に延びる一対の第１壁面を有する居室と、
前記第１壁面が延びる水平方向に平行に並べて２つ設けられた一対の箱型収納ユニットと、を備え、
一対の前記箱型収納ユニットのそれぞれは、前記居室の床から天井までの高さを有し一方の第１壁面から他方の第１壁面まで延びており、
物を収納可能な収納棚と、
前記箱型収納ユニットを人が通り抜け可能な通路用開口と、
前記居室を仕切った状態で前記第１壁面に沿って一対の前記箱型収納ユニットを移動可能に案内する案内装置と、を有する、可動収納システム。
【請求項２】
一対の前記箱型収納ユニットの前記通路用開口のそれぞれは、前記第１壁面に直交する水平方向において一方の前記第１壁面から同じ位置に設けられる、請求項１に記載の可動収納システム。
【請求項３】
前記収納棚は、前記箱型収納ユニットにつき複数設けられ、
各収納棚は、一対の前記第１壁面のそれぞれに近接して位置し、
前記箱型収納ユニットは、複数の前記収納棚の上端部を連結する連結梁を有し、
前記通路用開口は、複数の前記収納棚の間に位置する、請求項１又は２に記載の可動収納システム。
【請求項４】
前記居室は、前記第１壁面が延びる水平方向の両端部に出入口を有し、
一対の前記箱型収納ユニットは、前記通路用開口の内部に着脱可能に固定可能な通路用棚板又は通路用ハンガーパイプを有する、請求項１〜３のいずれかに記載の可動収納システム。
【請求項５】
一対の前記箱型収納ユニットは、互いに対向する側面に設けられた背板と、
両端部を両背板に着脱可能に固定可能な背板用棚板又は背板用ハンガーパイプと、を有する、請求項１〜４のいずれかに記載の可動収納システム。
【請求項６】
一対の前記箱型収納ユニットは、着脱可能に設けられ前記通路用開口を開閉する扉を有する、請求項１〜５のいずれかに記載の可動収納システム。
【請求項７】
前記箱型収納ユニットは、その位置を固定する固定装置を備える、請求項１〜６のいずれかに記載の可動収納システム。
【請求項８】
請求項１に記載の可動収納システムの使用方法であって、
一対の前記箱型収納ユニットを互いに近接させて又は接しさせて配置する、可動収納システムの使用方法。
【請求項９】
前記通路用開口に着脱可能な扉を取り付け、該通路用開口を通路として使用する、請求項８に記載の可動収納システムの使用方法。
【請求項１０】
請求項１に記載の可動収納システムの使用方法であって、
前記通路用開口の内部で水平に延び着脱可能に固定可能な通路用棚板又は通路用ハンガーパイプを該通路用開口に取り付け、該通路用開口を収納棚として使用する、可動収納システムの使用方法。
【請求項１１】
請求項１に記載の可動収納システムの使用方法であって、
一対の前記箱型収納ユニットを、前記第１壁面が延びる水平方向に間隔をあけて配置し、
前記通路用開口に着脱可能な扉を取り付け、
一対の前記箱型収納ユニットの間の空間及び前記通路用開口をウォークインクローゼット又はウォークスルークローゼットとして使用する、可動収納システムの使用方法。
【請求項１２】
請求項１に記載の可動収納システムの使用方法であって、
一対の前記箱型収納ユニットを、前記第１壁面が延びる水平方向に間隔をあけて配置し、
一対の前記箱型収納ユニットの互いに対向する側面に取り付けられた背板に、前記第１壁面が延びる水平方向に延びる背板用棚板又は背板用ハンガーパイプの両端部を固定し、
一対の前記箱型収納ユニットの間の空間を収納棚として使用する、可動収納システムの使用方法。
【発明の詳細な説明】
【技術分野】
【０００１】
本発明は、収納スペースの容量を増減できる可動収納システムとその使用方法に関する。
【背景技術】
【０００２】
現在、集合住宅の購入者の家族構成は２〜３人が多く、将来、家族が増える場合に備えて、居室のレイアウトを変えることができるプランが人気である。
また、収納スペースを増やしたいというニーズがあり、居室のうちの一室を収納部屋として使用しているケースも多い。
【０００３】
このように、リフォームをしなくても、手軽に、生活スタイルに合わせて居室の広さや収納スペースの容量を増減できるシステムが望まれていた。
【０００４】
生活スタイルに合わせてリフォームをせずに居室の広さを変えることができる住宅構造は、例えば特許文献１に開示されている。
この住宅構造では、大きさが様々でありそれぞれを自由な方向へ移動できる複数の可動収納間仕切りを、居室の間仕切りとして使用している。この文献には、２つの可動収納間仕切りを直列に配置して、居室を完全に間仕切りすることも開示されている。２つの可動収納間仕切りの幅は居室の幅の半分の長さに設計されており、それらを直列に配置することで、居室を２つの部屋に完全に分けることができる。
【先行技術文献】
【特許文献】
【０００５】
【特許文献１】特開２００８−２６１１００号公報
【発明の概要】
【発明が解決しようとする課題】
【０００６】
特許文献１に開示された住宅構造では、個々の可動収納間仕切りを自由に移動させることができるため、各可動収納間仕切りを隙間が無いように配置したり、複数の可動収納間仕切りを揃えて配置したりすることが難しかった。
【０００７】
また可動収納間仕切りを一つずつ移動しなければならないため、可動収納間仕切りの配置換えに時間と手間がかかった。例えば複数の可動収納間仕切りを直列に揃えて配置したまま数十ｃｍのみ動かしたい場合には、それぞれの可動収納間仕切りを壁にぶつけないように注意しながら一つずつ移動して揃えなければならなかった。
【０００８】
また単純に可動収納間仕切りを直列に配置して間仕切り壁を構成するだけでは、収納の表裏への行き来ができなかった。
【０００９】
また特許文献１に開示された住宅構造が収納できる収納スペースは、可動収納間仕切りの内部の容量に限られるため、収納スペースを増やすことが出来なかった。
【００１０】
本発明は上述した問題点を解決するために創案されたものである。すなわち本発明の目的は、収納スペースの容量を容易に増減できる可動収納システムとその使用方法を提供することにある。
【課題を解決するための手段】
【００１１】
本発明によれば、互いに平行かつ鉛直に延びる一対の第１壁面を有する居室と、
前記第１壁面が延びる水平方向に平行に並べて２つ設けられた一対の箱型収納ユニットと、を備え、
一対の前記箱型収納ユニットのそれぞれは、前記居室の床から天井までの高さを有し一方の第１壁面から他方の第１壁面まで延びており、
物を収納可能な収納棚と、
前記箱型収納ユニットを人が通り抜け可能な通路用開口と、
前記居室を仕切った状態で前記第１壁面に沿って一対の前記箱型収納ユニットを移動可能に案内する案内装置と、を有する、可動収納システムが提供される。
【００１２】
また一対の前記箱型収納ユニットの前記通路用開口のそれぞれは、前記第１壁面に直交する水平方向において一方の前記第１壁面から同じ位置に設けられる。
【００１３】
また前記収納棚は、前記箱型収納ユニットにつき複数設けられ、
各収納棚は、一対の前記第１壁面のそれぞれに近接して位置し、
前記箱型収納ユニットは、複数の前記収納棚の上端部を連結する連結梁を有し、
前記通路用開口は、複数の前記収納棚の間に位置する。
【００１４】
また前記居室は、前記第１壁面が延びる水平方向の両端部に出入口を有し、
一対の前記箱型収納ユニットは、前記通路用開口の内部に着脱可能に固定可能な通路用棚板又は通路用ハンガーパイプを有する。
【００１５】
また一対の前記箱型収納ユニットは、互いに対向する側面に設けられた背板と、
両端部を両背板に着脱可能に固定可能な背板用棚板又は背板用ハンガーパイプと、を有する。
【００１６】
また一対の前記箱型収納ユニットは、着脱可能に設けられ前記通路用開口を開閉する扉を有する。
【００１７】
また前記箱型収納ユニットは、その位置を固定する固定装置を備える。
【００１８】
また、本発明によれば、上述の可動収納システムの使用方法であって、
一対の前記箱型収納ユニットを互いに近接させて又は接しさせて配置する、可動収納システムの使用方法が提供される。
【００１９】
また前記通路用開口に着脱可能な扉を取り付け、該通路用開口を通路として使用する。
【００２０】
また、本発明によれば、上述の可動収納システムの使用方法であって、
前記通路用開口の内部で水平に延び着脱可能に固定可能な通路用棚板又は通路用ハンガーパイプを該通路用開口に取り付け、該通路用開口を収納棚として使用する、可動収納システムの使用方法が提供される。
【００２１】
また、本発明によれば、上述の可動収納システムの使用方法であって、
一対の前記箱型収納ユニットを、前記第１壁面が延びる水平方向に間隔をあけて配置し、
前記通路用開口に着脱可能な扉を取り付け、
一対の前記箱型収納ユニットの間の空間及び前記通路用開口をウォークインクローゼット又はウォークスルークローゼットとして使用する、可動収納システムの使用方法が提供される。
【００２２】
また、本発明によれば、上述の可動収納システムの使用方法であって、
一対の前記箱型収納ユニットを、前記第１壁面が延びる水平方向に間隔をあけて配置し、
一対の前記箱型収納ユニットの互いに対向する側面に取り付けられた背板に、前記第１壁面が延びる水平方向に延びる背板用棚板又は背板用ハンガーパイプの両端部を固定し、
一対の前記箱型収納ユニットの間の空間を収納棚として使用する、可動収納システムの使用方法が提供される。
【発明の効果】
【００２３】
上述した本発明によれば、第１壁面が延びる第１方向に人が通り抜けられる通路用開口が、箱型収納ユニットに設けられているので、一対の箱型収納ユニットが間隔を隔てるように、案内装置で箱型収納ユニットを案内することにより、一対の箱型収納ユニットの間の空間を収納スペースとして使用することができる。
【００２４】
その上、通路用開口を通路として使用しない場合には、通路用開口を収納スペースとして使用することもできる。
【００２５】
したがって、本発明によれば、収納スペースの容量を容易に増減することができる。
【図面の簡単な説明】
【００２６】
【図１】本発明の実施形態の可動収納システムが使用される間取りの平面図である。
【図２】部屋から見たときの本発明の実施形態の箱型収納ユニットの正面図である。
【図３】図１の可動収納システムの拡大平面図である。
【図４】部屋から見たときの本発明の実施形態の箱型収納ユニットの正面図である。
【図５】本発明の実施形態の可動収納システムの平面図である。
【図６】本発明の実施形態の可動収納システムの平面図である。
【図７】本発明の実施形態の可動収納システムの平面図である。
【発明を実施するための形態】
【００２７】
以下、本発明の実施形態を図面に基づいて説明する。なお、各図において共通する部分には同一の符号を付し、重複した説明を省略する。
【００２８】
図１は、本発明の実施形態の可動収納システム１が使用される間取りの平面図である。また図１では、収納スペースに破線斜線を付している。
図２は、部屋４から見たときの本発明の実施形態の箱型収納ユニット７の正面図である。なお、図２では、後述する扉２９とフィラー３１を省略している。
図３は、図１の可動収納システム１の拡大平面図である。なお、図３は、居室３の天井、リフトアップノブ１３ｂ、収納棚１５の天板２２を省略して記載している。
図４は、部屋４から見たときの箱型収納ユニット７の正面図である。図４は、扉２９を閉め、フィラー３１を取り付けた使用時の外観を示している。
【００２９】
本発明は、居室３の広さと収納スペースの容量を増減できる可動収納システム１である。可動収納システム１は、互いに平行かつ鉛直に延びる一対の第１壁面５を有する居室３と、一対の箱型収納ユニット７とを備える。
【００３０】
以下の説明において、第１壁面５が延びる水平方向を第１方向Ｘとし、第１方向Ｘに直交する水平方向、すなわち第１壁面５に直交する水平方向を第２方向Ｙとする。また箱型収納ユニット７で居室３を区切って設けられた複数の空間を、「部屋４」と呼ぶ。さらに第１方向Ｘにおいて一対の箱型収納ユニット７が互いに対向する側を「対向側」とし、その反対側を「部屋側」とする。
【００３１】
第１壁面５の下端部には、第１方向Ｘに延びる巾木部が設けられている。巾木部は、第１壁面５の上端部に設けられていてもよい。
第１壁面５の壁紙は、傷のつきにくいクロスであることが好ましい。
【００３２】
一つの箱型収納ユニット７は、一方の第１壁面５から他方の第１壁面５まで延びる。この箱型収納ユニット７が居室内で第１方向Ｘに２つ平行に設けられることで、一対の箱型収納ユニット７を形成する。
【００３３】
箱型収納ユニット７は、一方の第１壁面５から他方の第１壁面５まで延びる方向が、第１壁面５に直交していることが好ましいが、箱型収納ユニット７が移動できるのであれば直交していなくてもよい。例えば居室３を上方から見たときの形状が台形である場合、箱型収納ユニット７は第２壁面６が延びる方向に延びていてもよい。
【００３４】
箱型収納ユニット７は、居室３の床から天井までの高さを有することが好ましい。それにより、居室３を完全に２部屋若しくは３部屋に区切ることができる。
【００３５】
各箱型収納ユニット７は、収納棚１５、通路用開口９、案内装置１１、及び固定装置１３を有する。以下、この実施形態の箱型収納ユニット７について、詳細に説明する。
【００３６】
各箱型収納ユニット７は、複数（図２の例では２つ）の収納棚１５を有する。２つの各収納棚１５は、一対の第１壁面５のそれぞれに近接して位置する。
【００３７】
収納棚１５は、荷物や洋服等の物を収納可能な箱型の棚もしくはクローゼットである。各収納棚１５は、第１壁面５に平行な一対の側板２５、天井に近接した高さにある天板２２、収納棚１５の底面を構成する底板２７、及び対向側の側面に設けられた背板２３を有し、部屋側の側面には開口部を有する。
【００３８】
収納棚１５は、その内部に棚板１５ｂや、ハンガーを掛けるためのハンガーパイプ１５ｃ、仕切り板が設けられていてもよい。
【００３９】
第２方向Ｙにおける箱型収納ユニット７の両端部に設けられる２つの収納棚１５の容積は異なっていてもよいが、同じである方が好ましい。
【００４０】
案内装置１１は、一対の箱型収納ユニット７を、居室３を仕切った状態で第１壁面５に沿って第１方向Ｘに移動可能に案内する装置であり、例えばキャスター１１ａとガイドローラ１１ｂを有する。
【００４１】
キャスター１１ａは、収納棚１５の底板２７の下に設けられている。キャスター１１ａは、回転軸の方向が第２方向Ｙに固定され、第１方向Ｘにのみ転動するものであることが好ましい。
【００４２】
それにより、一対の箱型収納ユニット７の動きが平行移動に限定されるので、一人でも箱型収納ユニット７を軽い力で滑らかにかつ容易に移動させることができる。
【００４３】
図２の例では、キャスター１１ａは、箱型収納ユニット７の両端部の収納棚１５のそれぞれの底板２７の下に６つ設けられている。しかしキャスター１１ａの数は３つ以上であれば、これに限らない。
箱型収納ユニット７を固定する際には、キャスター１１ａにストッパーを取り付けることが好ましい。収納棚１５を持ち上げる上昇機構を設けてもよい。
【００４４】
図２と図３に示すように、ガイドローラ１１ｂは、収納棚１５の側板２５に取り付けられており、第１壁面５、好ましくは第１壁面５の下端部で第１方向Ｘに延びる巾木に接するローラを有する。箱型収納ユニット７の移動時には、ガイドローラ１１ｂは、第１壁面５（好ましくは巾木）に接しながら、それに沿って転動する。巾木の素材は樹脂又は木材である。
【００４５】
この構成により、箱型収納ユニット７は、第２方向Ｙの両端部のガイドローラ１１ｂが第１壁面５（巾木）に接した状態で移動するので、箱型収納ユニット７の移動方向を第１方向Ｘに限定することができる。それにより居住者は、箱型収納ユニット７を、滑らかにかつ容易に移動させることができる。
【００４６】
図２に示すように、固定装置１３は、天井固定装置１３ａであり、天板２２に設けられることが好ましい。収納スペースには、天板２２からリフトアップノブ１３ｂが突出しており、リフトアップノブ１３ｂを回すことにより、天板２２から天井に向けて天井固定装置１３ａが上昇する。
なお、収納棚１５の天板２２に設けられる固定装置１３は、その他の構成でもよい。
【００４７】
天井に着くまで天井固定装置１３ａを上昇させることにより、固定装置１３は、箱型収納ユニット７の位置を固定することができる。
【００４８】
この実施形態の通路用開口９は、箱型収納ユニット７を第１方向Ｘに人が通り抜け可能な穴である。図２に示すように、一対の箱型収納ユニット７の通路用開口９は、第２方向Ｙにおける同じ位置に設けられる。それにより、一対の箱型収納ユニット７を近接させて又は接しさせて配置したときに、２つの通路用開口９が第１方向Ｘに連通するので、通路用開口９を通路として使用することができる。それにより、居住者は、箱型収納ユニット７の表裏へ行き来することができる。
【００４９】
図２に示すように、この実施形態の箱型収納ユニット７は、第１壁面沿いに収納棚１５を２つ有しており、それらの収納棚１５の上端部を連結梁１７が連結する。連結梁１７は、第２方向Ｙに延びる梁である。箱型収納ユニット７は、この連結梁１７が複数の収納棚１５を連結することにより、一体に形成されている。
【００５０】
通路用開口９は、この連結梁１７の下であって、複数の収納棚１５の間に位置する。
【００５１】
一対の箱型収納ユニット７は、通路用開口９の内部に着脱可能に固定可能な通路用棚板１９又はハンガーを掛けるための通路用ハンガーパイプ２１と、通路用開口９の対向側に着脱可能に固定可能な着脱可能背板２３ｃ（図３の破線を参照）を有していてもよい。通路用棚板１９と通路用ハンガーパイプ２１は、通路用開口９の内部で第２方向Ｙに水平に延びるものであることが好ましい。
【００５２】
収納棚１５の側板２５のうち、通路用開口９に面した側面２５ａには、通路用棚板１９を取り付けるためのダボや、通路用ハンガーパイプ２１を取り付けるための溝が設けられていてもよい。
【００５３】
この構成により、居住者は、通路用開口９を通路として使用する際には、通路用棚板１９や通路用ハンガーパイプ２１を取り外すことで、容易に通路を形成することができる。また通路用棚板１９や通路用ハンガーパイプ２１を収納棚１５の側板２５の側面２５ａに取り付けることで、居住者は、容易に通路用開口９を収納スペースとして使用できるので、その分収納スペースを増やすことができる。着脱可能背板２３ｃを取り付けることにより、通路用開口９を部屋側からのみ出し入れできる収納スペースとして使用することもできる。
【００５４】
もしくは、この側面２５ａには、図３に示すように通路用棚板１９の第２方向Ｙにおける一端部が蝶番で固定されていてもよい。通路用開口９を通路として使用する場合には、通路の壁（すなわち収納棚１５の側板２５の側面２５ａ）に通路用棚板１９を下げ又は持ち上げ、通路の壁に沿わせる。収納スペースを増やす際には、通路用棚板１９を水平になるまで回動し、通路用棚板１９の他端部をダボ等で収納棚１５の側板２５に固定することで、容易に通路用開口９を収納スペースにすることができる。
【００５５】
通路用棚板１９や通路用ハンガーパイプ２１の固定方法は、その他のものでもよい。
【００５６】
一対の箱型収納ユニット７は、着脱可能に設けられ通路用開口９を開閉する扉２９を有する。図４に示すように扉２９は、収納棚１５の開口部にも設けられる。
【００５７】
扉２９は、通路用開口９の部屋側の開口部に設けられていることが好ましい。
【００５８】
扉２９が着脱可能に設けられていることにより、扉２９を外して通路用開口９を通路として使用することができる。
【００５９】
また、可動収納システム１は、面ファスナーで着脱可能なフィラー３１を有することが好ましい。居住者が、箱型収納ユニット７の位置を固定した後に第１壁面５と箱型収納ユニット７との間の隙間や、床面と箱型収納ユニット７との間の隙間に沿ってフィラー３１を取り付けることにより、箱型収納ユニット７が居室３を区切って設けた隣の部屋４から光が漏れるのを防ぐことができる。また、部屋４から箱型収納ユニット７を見たときに、隙間やガイドローラ１１ｂが見えないので、備え付けの固定収納のような美しい外観を提供できる。
【００６０】
また一対の箱型収納ユニット７は、後述する図６（Ｂ）に示すように、両端部を両背板２３に着脱可能に固定可能な背板用棚板２３ａ又はハンガーを掛けるための背板用ハンガーパイプ２３ｂを有することが好ましい。背板用棚板２３ａと背板用ハンガーパイプ２３ｂの長手方向の長さは、同じ長さである。
【００６１】
これにより、背板用棚板２３ａ又は背板用ハンガーパイプ２３ｂの長さ分の間隔をあけて一対の箱型収納ユニット７を配置することにより、一対の箱型収納ユニット７の間のスペースを収納スペースとして使用することができる。
【００６２】
収納棚１５の背板２３の対向側の側面には、背板用棚板２３ａや背板用ハンガーパイプ２３ｂを取り付けるためのダボや溝等が設けられていることが好ましい。
【００６３】
この実施形態の居室３は、互いに対向する第１壁面５が平行であるならば、２つの第１壁面５をつなぐ壁面（以下、第２壁面６）が第１壁面５に直交に延びていなくてもよい。例えば上方から見たときの居室３の形状は、第１壁面５が上底と下底を構成する台形であってもよい。また図１に示すように、第２壁面６が折れ曲がっていてもよい。
【００６４】
居室３の広さは、部屋４を２つ作る場合に備えて、一般的な部屋４の広さの２倍〜３倍以上の広さがあることが好ましい。
【００６５】
居室３の照明は、天井に埋め込まれている。それにより居室３の天井は、平坦に設けられている。また居室３の床も平坦に設けられている。
【００６６】
また居室３は、第１方向Ｘの両端側に出入口が設けられていることが好ましい。しかし、この実施形態の通路用開口９を収納スペースとして使用しないのであれば、居室３に設けられる出入口は、第１方向Ｘの一端部に一つのみであってもよい。
【００６７】
例えば図１に示す居室３は、第１方向Ｘの一端側（図１の下方側）の第２壁面６がウォールドア３ａで構成されており、ウォールドア３ａの一枚をスライドさせて居室３に出入りできるようになっている。この居室３は、ウォールドア３ａをスライドさせることができる間は２つの出入口を有するが、袋戸３ｂが使えない間は、居室３の他端側（図１の上方側）の出入口のみから出入りすることとなる。袋戸３ｂが使えない場合とは、例えば袋戸３ｂの上に荷物が載せられている場合である。
【００６８】
この実施形態の可動収納システム１は、収納棚１５が第１壁面５に近接した位置に設けられ、収納棚１５の間に通路用開口９が設けられていることにより、可動収納システム１の第２方向Ｙにおける両端部の重さが同様であるため、バランスよく箱型収納ユニット７を移動させることができる。そのため、軽い操作性により、あまり力を掛けなくても、簡易に箱型収納ユニット７を移動させることができる。したがって、本発明の可動収納システム１は、ちょっとした生活の変化に対応することができる。また、箱型収納ユニット７を簡易に移動させることができるので、居住者自身が箱型収納ユニット７の配置換えをすることができる。
【００６９】
また箱型収納ユニット７が、一方の第１壁面５から他方の第１壁面５にかけて一体に形成されているため、一方の第１壁面５から他方の第１壁面５までの箱型収納ユニット７が一体的に動く。そのため、収納棚１５を揃える時間や手間が必要なく、収納棚１５を直列に揃えて配置したまま数ｍｍ単位で移動させることができる。
【００７０】
また、居室３に初めから配置される巾木部をガイドローラ１１ｂのガイドとして使用するため、箱型収納ユニット７を第１方向Ｘに直進させるための新たなガイド部材を用意する必要が無い。その上、収納棚１５の側板２５から第１壁面側に突出したガイドローラ１１ｂが巾木部に沿って転動するので、箱型収納ユニット７と第１壁面５との間の隙間を維持できる。そのため箱型収納ユニット７を第１方向Ｘに移動させても第１壁面５が傷つかない。
【００７１】
さらに、２枚の第１壁面５の間を箱型収納ユニット７が横切って塞ぐ構造をしているので、部屋４から箱型収納ユニット７を見たときに、作り付けの棚のように美しい外観を維持できる。
【００７２】
次に、本発明の可動収納システム１の使用方法の実施形態について説明する。
【００７３】
図５〜図７は、本発明の実施形態の可動収納システム１の平面図である。図５〜図７では、収納スペースに破線斜線を付している。
【００７４】
（使用方法１：広い部屋４が必要な場合）
図５（Ａ）は、部屋４を最大に広げたときの本発明の実施形態の平面図である。
【００７５】
例えば、１部屋に４人家族の全員が並んで寝られる寝室を作ろうとした場合、広い部屋４が必要になる。その場合、この図に示すように一対の箱型収納ユニット７を互いに付け、第１方向Ｘにおける居室３の一端側（図５（Ａ）の下方側）に寄せて配置する。それにより、第１方向Ｘにおける居室３の他端側（図５（Ａ）の上方側）の部屋４の広さを最大限に広げることができる。
【００７６】
具体的には、まず、リフトアップノブ１３ｂを回して天井固定装置１３ａを下降させ、収納棚１５を第１方向Ｘに軽く押し、箱型収納ユニット７を移動させる。収納棚１５は、連結梁１７で連結されているので、一方の収納棚１５を押せば箱型収納ユニット７が一体となって移動する。
【００７７】
箱型収納ユニット７が第１方向Ｘにおける居室３の一端側（図５（Ａ）の下方側）まで移動したら、リフトアップノブ１３ｂを回して天井固定装置１３ａを天井に付くまで上昇させ、天井に押し付ける。加えて、キャスター１１ａにストッパーを取り付けてもよい。
【００７８】
これにより、第１方向Ｘにおける任意の位置に箱型収納ユニット７を容易に移動し、固定することができる。
【００７９】
その後、第１壁面５と収納棚１５の側板２５との間や、床面と箱型収納ユニット７との間の隙間に、フィラー３１を取り付ける。
【００８０】
なお、この図に例示した居室３の一端側の第２壁面６は、移動可能なウォールドア３ａとなっているが、ウォールドア３ａの袋戸３ｂの上に箱型収納ユニット７があるため、ウォールドア３ａを開けることができない。そのため、ウォールドア３ａと箱型収納ユニット７との間の空間に出入り可能とするために、この図の通路用開口９は、通路として使用される。
【００８１】
このとき、通路用開口９に着脱可能な扉２９を取り付け、通路用開口９を通路として使用することが好ましい。
【００８２】
（使用方法２：居室３を２部屋に分け、かつ部屋４の面積を最大限に広くする場合）
図５（Ｂ）は、居室３を２部屋に分け、かつ部屋４の面積を最大限に広くする場合を示す平面図である。
【００８３】
この図に示すように、ウォールドア３ａの袋戸３ｂの上に家具を置かなければ、ウォールドア３ａを開閉して部屋４に出入りできる。通路用開口９を通路として使用する必要が無いため、通路用開口９を収納スペースとして有効に利用することができる。
【００８４】
この場合、収納棚１５の側板２５の通路用開口９に面する側面２５ａにダボを取り付け、通路用棚板１９を取り付ける。もしくは、蝶番で一端部が側面２５ａに取り付けられた通路用棚板１９の他端部を持ち上げ、他端部側の収納棚１５の側板２５の側面２５ａにダボを取り付け、通路用棚板１９を水平に維持する。
【００８５】
またこの側面２５ａに設けられた溝に通路用ハンガーパイプ２１をはめて通路用ハンガーパイプ２１を取り付ける。通路用開口９の対向側には、着脱可能背板２３ｃを取り付ける。
【００８６】
これにより、容易に通路用開口９を収納棚として使用することができる。
【００８７】
なお、それ以外の可動収納システム１の使用方法は、使用方法１と同様である。
【００８８】
（使用方法３：ウォークスルークローゼットを作る場合）
図６（Ａ）は、ウォークスルークローゼットを作る場合を示す平面図である。
【００８９】
ウォークスルークローゼットとは、人が通り抜けできるクローゼットである。
【００９０】
一対の箱型収納ユニット７を、第１方向Ｘに任意の間隔をあけて配置し、２つの通路用開口９の部屋側の開口部の両方に着脱可能な扉２９を取り付ける。
【００９１】
それにより一対の箱型収納ユニット７の間の空間と通路用開口９とをウォークスルークローゼットとすることができる。
【００９２】
これにより、一対の箱型収納ユニット７の収納棚１５と収納棚１５との間の空間Ｚ分、使用方法１より収納スペースの容量を増やすことができる。この空間Ｚには、スーツケースや、来客用の布団、季節物の荷物（例えばクリスマスツリー）などの大きな荷物や使用頻度が少ない荷物を置いてもよい。
【００９３】
なお、図６（Ｂ）に示すように、背板用棚板２３ａや背板用ハンガーパイプ２３ｂの長さ分、一対の箱型収納ユニット７の間隔をあけ、背板用棚板２３ａや背板用ハンガーパイプ２３ｂを背板２３に取り付けてもよい。
【００９４】
なお、それ以外の可動収納システム１の使用方法は、使用方法１と同様である。
【００９５】
（使用方法４：ウォークインクローゼットを作る場合）
図６（Ｂ）は、ウォークインクローゼットを作る場合を示す本実施形態の可動収納システム１の平面図である。
【００９６】
ウォークインクローゼットとは、中に入ることができるクローゼットである。
【００９７】
一対の箱型収納ユニット７を、第１方向Ｘに任意の間隔をあけて配置し、２つの通路用開口９の部屋側の開口部の両方に着脱可能な扉２９を取り付ける。
【００９８】
次いで、一方の通路用開口９を通路として使用し、他方の通路用開口９には通路用棚板１９や通路用ハンガーパイプ２１を取り付けて収納スペースとして使用する。他方の通路用開口９の扉２９は常時閉めたままにし、背板２３として使用する。この他方の通路用開口９に形成した収納スペースは、ウォークインクローゼットの中から使用する。
【００９９】
各収納棚１５の背板２３には、背板用棚板２３ａや背板用ハンガーパイプ２３ｂを取り付けてもよい。つまり、一対の箱型収納ユニット７を、第１方向Ｘに間隔をあけて配置し、一対の箱型収納ユニット７の互いに対向する側面に取り付けられた背板２３に、第１方向Ｘに延びる背板用棚板２３ａ又は背板用ハンガーパイプ２３ｂの両端部を固定し、一対の箱型収納ユニット７の間の空間を収納棚として使用する。
【０１００】
その場合、一対の箱型収納ユニット７の間隔を、背板用棚板２３ａや背板用ハンガーパイプ２３ｂの第１方向Ｘの長さとする。
【０１０１】
これにより、使用方法１より収納スペースを大幅に増やすことができる。
【０１０２】
このようにこの実施形態の可動収納システム１は、一方の通路用開口９からのみ入ることができるウォークインクローゼットを容易に形成することができる。
【０１０３】
なお、一対の箱型収納ユニット７の収納棚１５と収納棚１５との間の空間Ｚは、図６（Ａ）のように背板用棚板２３ａや背板用ハンガーパイプ２３ｂを取り付けずに使用してもよい。
【０１０４】
それ以外の可動収納システム１の使用方法は、使用方法１や使用方法３と同様である。
【０１０５】
（使用方法５：２部屋と納戸を作る場合）
図７（Ａ）は、居室３に２部屋４と納戸を作る場合の平面図である。
【０１０６】
まず一対の箱型収納ユニット７の収納棚１５と収納棚１５との間を、背板用棚板２３ａの第１方向Ｘの長さ分あけて、各箱型収納ユニット７を固定する。
【０１０７】
次いで、収納棚１５の背板２３の対向側の側面に、背板用棚板２３ａを上下方向に複数枚取り付ける。
【０１０８】
これにより一対の箱型収納ユニット７の収納棚１５と収納棚１５との間の空間Ｚに棚を作り、一対の箱型収納ユニット７の収納棚１５と収納棚１５との間と通路用開口９の空間を納戸とすることができる。
【０１０９】
なお、それ以外の可動収納システム１の使用方法は、使用方法１と同様である。
【０１１０】
（使用方法６：通路を確保しつつ収納スペースを増やす場合）
図７（Ｂ）は、通路を確保しつつ収納スペースを増やす場合の平面図である。
【０１１１】
この図の扉２９は、通路用開口９の部屋側の開口部のみならず対向側の開口部にも着脱可能に設けられるようになっている。通路用開口９の対向側の扉２９は、表と裏に同じような化粧板や取手が施される。この構成により、後述する図７（Ｂ）に示すように通路用開口９の第２方向Ｙの幅と同じ距離の間隔を隔てて一対の箱型収納ユニット７を配置することで、通路用開口９を通路として確保しつつ、一対の箱型収納ユニット７の収納棚１５と収納棚１５の間の空間Ｚを収納スペースとして使用することができる。この場合、通路用開口９の対向側の開口部に取り付けられた扉２９が空間Ｚの収納スペースを開閉する。つまり、通路用開口９の扉２９を、空間Ｚの扉２９として使用する。空間Ｚには、市販の収納家具等を置いてもよい。
【０１１２】
この図のように、例えば居室３の第１方向Ｘの一端部（図７（Ｂ）で下端部）に出入口が無い場合、図７（Ｂ）の下方側の部屋４に入るための通路を確保する必要がある。このような場合でも収納スペースを確保する必要があるときは、箱型収納ユニット７の通路用開口９の対向側の開口部に扉２９を取り付け、通路用開口９の第２方向Ｙの幅と同じ距離分、間隔をあけて一対の箱型収納ユニット７を配置し、固定する。
【０１１３】
この扉２９の蝶番は、通路用開口９を閉じるとき（０°）と、最も開放するとき（９０°）にロックがかかることが好ましい。
【０１１４】
またこの扉２９の裏面は、表面と同様に化粧板と取手が取り付けられている。
【０１１５】
これにより、一対の箱型収納ユニット７の間隔分、通路が第１方向Ｘに延び、一対の箱型収納ユニット７の収納棚１５と収納棚１５との間の空間Ｚは、通路の第２方向Ｙの両側に作られた収納スペースとなる。
【０１１６】
扉２９を９０°開けたときに、この通路の両側の収納スペース（空間Ｚ）が閉じられる。扉２９の裏面は、通路の壁面になる。
【０１１７】
これにより、たとえ居室３の出入口が一つしかなくても、若しくは居室３に２つある出入口のうちの一つが使えなくても、収納スペースを増やすことができる。
【０１１８】
上述した本発明によれば、一対の箱型収納ユニット７が居室３を仕切り、平行な第１壁面５に沿って案内する案内装置１１を備えるので、部屋４の大きさを可変することができる。
【０１１９】
また、第１方向Ｘに人が通り抜けられる通路用開口９が箱型収納ユニット７に設けられているので、一対の箱型収納ユニット７が間隔を隔てるように箱型収納ユニット７を案内装置１１で案内することにより、一対の箱型収納ユニット７の間の空間を収納スペースとして使用することができる。
【０１２０】
その上、通路用開口９を通路として使用しない場合には、通路用開口９を収納スペースとして使用することもできる。
【０１２１】
したがって、本発明によれば、収納スペースの容量を容易に増減することができる。
【０１２２】
なお本発明は上述した実施の形態に限定されず、本発明の要旨を逸脱しない範囲で種々変更を加え得ることは勿論である。
【符号の説明】
【０１２３】
Ｘ  第１方向、Ｙ  第２方向、
Ｚ  一対の箱型収納ユニットの収納棚と収納棚との間の空間、
１  可動収納システム、３  居室、３ａ  ウォールドア、３ｂ  袋戸、
４  部屋、５  第１壁面、６  第２壁面、７  箱型収納ユニット、９  通路用開口、
１１  案内装置、１１ａ  キャスター、１１ｂ  ガイドローラ、
１３  固定装置、１３ａ  天井固定装置、１３ｂ  リフトアップノブ、
１５  収納棚、１５ｂ  棚板、１５ｃ  ハンガーパイプ、１７  連結梁、
１９  通路用棚板、２１  通路用ハンガーパイプ、２２  天板、
２３  背板、２３ａ  背板用棚板、２３ｂ  背板用ハンガーパイプ、
２３ｃ  着脱可能背板、２５  側板、２５ａ  側板の通路に面した側面、
２７  底板、２９  扉、３１  フィラー
【図１】
2020110722.tif 000003
【図２】
2020110722.tif 000004
【図３】
2020110722.tif 000005
【図４】
2020110722.tif 000006
【図５】
2020110722.tif 000007
【図６】
2020110722.tif 000008
【図７】
2020110722.tif 000009